(57)【要約】【課題】補聴器の電池を取り外して充電することができる耳掛け形補聴器の充電器を提供する。【解決手段】  上蓋と下蓋とを含んでなる充電ベースと、蓋体とを含んでなり、充電ベースは上蓋に補聴器を設けるために供する設置槽を具えてなり、下蓋に電気的に接続する充電用の電気回路板と、該電気回路板と電気的に接続し、補聴器から取り出したボタン電池に接触して充電するために供する充電挟持弾性片とを具えてなり、蓋体は、充電ベースの上蓋を被覆、或いは外して開いた状態にするなど着脱自在に設ける。【選択図】  図１
0003133242.tif 000002
【実用新案登録請求の範囲】
【請求項１】
上蓋と下蓋とを含んでなる充電ベースと、蓋体とを含んでなり、
該充電ベースは上蓋に補聴器を設けるために供する設置槽を具えてなり、下蓋に電気的に接続する充電用の電気回路板と、該電気回路板と電気的に接続し、補聴器から取り出したボタン電池に接触して充電するために供する充電挟持弾性片とを具えてなり、
該蓋体は、充電ベースの上蓋を被覆、或いは外して開いた状態にするなど着脱自在に設けることを特徴とする耳掛け形補聴器の充電器。
【請求項２】
前記上蓋が設置槽と、一側面に乾電池設置空間と、該乾電池設置空間と設置槽との間に形成されたボタン電池充電挿入槽と、長手方向の一端縁部に形成された第一溝とを含んでなり、
下蓋が凹状に形成され、内側の長手方向に垂直な一端縁部に設けられた電気的に接続する充電用の電気回路板と、該電気回路板上に設けられた複数の指示ランプと、ボタン型スイッチと、交流電流を直流に転換する変電用の機器のコネクタとを設けてなり、該指示ランプとスイッチが上蓋の対応する位置に形成された孔から上端縁部が外部に露出して設けられ、下蓋の内部に電気回路板と電気的に接続する充電挟持弾性片が設けられ、充電挟持弾性片がボタン電池の充電挿入槽に対応する位置に設けられることを特徴とする請求項１に記載の耳掛け形補聴器の充電器。
【請求項３】
前記充電ベースは下蓋と、上蓋と、収納ベースと、を含んでなり、
該下蓋が底部の長手方向に垂直な端縁部に電気回路板に接続する開口を形成し、充電挟持弾性片は一端が電気回路板の底部側面に連結し、他端が開口に向って延伸するように設けられ、ボタン電池に接触して充電するために供し、開口は保護蓋を設けて被覆され、保護蓋の内側にはボタン電池を設ける設置空間と、下蓋の一端縁部に対応するように形成された２つのフックとを具えてなり、保護蓋を開口に合わせてフックを下蓋に形成した孔に挿入して係合し、
該上蓋が中空のフレーム状で、中央部に形成された収納口と、該中脳口の外周縁部に形成されたレールとを具えてなり、該収納口の内側には収納ベースが設けられ、収納ベース上には補聴器を設けるために供する設置槽とを具えてなり、収納ベースを下蓋の表面に設け、上蓋を下蓋の上方に螺接して組み合わせ、蓋板は底面の長手方向側片にそれぞれ上蓋のレールに対応する位置に凸縁部を形成し、蓋板の凸縁部をレールに沿ってスライドさせると、上蓋を被覆することができる構造からなることを特徴とする請求項１に記載の耳掛け形補聴器の充電器。
【考案の詳細な説明】
【技術分野】
【０００１】
この考案は、充電器に関し、特に耳掛け形補聴器に充電する充電器に関する。
【背景技術】
【０００２】
補聴器は耳穴形、耳掛け形などの形態にかかわらず、聴力が弱い人が外部の音を通常の人と同様に聴くことができるように補助する電子機器である。耳掛け形補聴器の場合には、携帯に便利なように、ハウジングに設けて使用される。
【０００３】
補聴器は内部の電池に電気を供給し、電力を使い終えた場合の充電に便利なように、中華民国実用新案登録番号第３１００３９６号及び、日本特許番号特開２００６−１１５４３８号など（以下引用文献と称す）ではいずれも補聴器が充電の機能を具えてなる。
【０００４】
前述した２件の事件は、内部に充電用の電気回路を具えた補聴器の本体を具えてなり、充電が必要な場合、充電ベース、或いは充電器の内部にコネクタを設けなければならない。充電ベース、或いは充電器の接触端子を充電用の電気回路に接続し、電力を充電する目的を達成する。
【０００５】
上述する２件の事件は、構造が異なるが、共通の問題を具えている。即ち、補聴器の本体を充電ベース、或いは充電器に接続している間、使用者が補聴器の本体を使用することができない。よって、使用者は補聴器の本体の充電が終了するまで待ってから使用しなければならない。充電している間に重要な件、或いは情報を受信、或いは処理しなければならない場合には、非常に不便である。
【考案の開示】
【考案が解決しようとする課題】
【０００６】
この考案は、補聴器の電池を取り外して充電することができる耳掛け形補聴器の充電器を提供することを課題とする。
【課題を解決するための手段】
【０００７】
そこで、本考案者は従来の技術に見られる欠点に鑑みて鋭意研究を重ねた結果、上蓋と下蓋とを含んでなる充電ベースと、蓋体とを含んでなり、
該充電ベースは上蓋に補聴器を設けるために供する設置槽を具えてなり、下蓋に電気的に接続する充電用の電気回路板と、該電気回路板と電気的に接続し、補聴器から取り出したボタン電池に接触して充電するために供する充電挟持弾性片とを具えてなり、
該蓋体は、充電ベースの上蓋を被覆、或いは外して開いた状態にするなど着脱自在に設ける構造によって課題を解決できる点に着眼し、かかる知見に基づいて本考案を完成させた。
【０００８】
以下、この考案について具体的に説明する。
請求項１に記載の耳掛け形補聴器の充電器は、上蓋と下蓋とを含んでなる充電ベースと、蓋体とを含んでなり、
該充電ベースは上蓋に補聴器を設けるために供する設置槽を具えてなり、下蓋に電気的に接続する充電用の電気回路板と、該電気回路板と電気的に接続し、補聴器から取り出したボタン電池に接触して充電するために供する充電挟持弾性片とを具えてなり、
該蓋体は、充電ベースの上蓋を被覆、或いは外して開いた状態にするなど着脱自在に設ける。
【０００９】
請求項２に記載の耳掛け形補聴器の充電器は、請求項１における上蓋が設置槽と、一側面に乾電池設置空間と、該乾電池設置空間と設置槽との間に形成されたボタン電池充電挿入槽と、長手方向の一端縁部に形成された第一溝とを含んでなり、
下蓋が凹状に形成され、内側の長手方向に垂直な一端縁部に設けられた電気的に接続する充電用の電気回路板と、該電気回路板上に設けられた複数の指示ランプと、ボタン型スイッチと、交流電流を直流に転換する変電用の機器のコネクタとを設けてなり、該指示ランプとスイッチが上蓋の対応する位置に形成された孔から上端縁部が外部に露出して設けられ、下蓋の内部に電気回路板と電気的に接続する充電挟持弾性片が設けられ、充電挟持弾性片がボタン電池の充電挿入槽に対応する位置に設けられる。
【００１０】
請求項３に記載の耳掛け形補聴器の充電器は、請求項１における充電ベースが下蓋と、上蓋と、収納ベースと、を含んでなり、
該下蓋が底部の長手方向に垂直な端縁部に電気回路板に接続する開口を形成し、充電挟持弾性片は一端が電気回路板の底部側面に連結し、他端が開口に向って延伸するように設けられ、ボタン電池に接触して充電するために供し、開口は保護蓋を設けて被覆され、保護蓋の内側にはボタン電池を設ける設置空間と、下蓋の一端縁部に対応するように形成された２つのフックとを具えてなり、保護蓋を開口に合わせてフックを下蓋に形成した孔に挿入して係合し、
該上蓋が中空のフレーム状で、中央部に形成された収納口と、該中脳口の外周縁部に形成されたレールとを具えてなり、該収納口の内側には収納ベースが設けられ、収納ベース上には補聴器を設けるために供する設置槽とを具えてなり、収納ベースを下蓋の表面に設け、上蓋を下蓋の上方に螺接して組み合わせ、蓋板は底面の長手方向側片にそれぞれ上蓋のレールに対応する位置に凸縁部を形成し、蓋板の凸縁部をレールに沿ってスライドさせると、上蓋を被覆することができる構造からなる。
【考案の効果】
【００１１】
この考案による耳掛け形補聴器の充電器は、電池の充電中でも補聴器が使用できるという効果を有する。
【考案を実施するための最良の形態】
【００１２】
この考案は、補聴器の電池を取り外して充電することができる耳掛け形補聴器の充電器であって、上蓋と下蓋とを含んでなる充電ベースと、蓋体とを含んでなり、
該充電ベースは上蓋に補聴器を設けるために供する設置槽を具えてなり、下蓋に電気的に接続する充電用の電気回路板と、該電気回路板と電気的に接続し、補聴器から取り出したボタン電池に接触して充電するために供する充電挟持弾性片とを具えてなり、
該蓋体は、充電ベースの上蓋を被覆、或いは外して開いた状態にするなど着脱自在に設ける構造と特徴を詳述するために具体的な実施例を挙げ、図示を参照にして以下に説明する。
【実施例】
【００１３】
この考案の耳掛け形補聴器の充電器は図１に開示するように、充電ベース１００と、該充電ベース１００を被覆するように設けらる着脱可能な蓋体３０と、充電ベース１００の内部に設けられる補聴器５０と、を含んでなる。また、該充電ベース１００は、下蓋２０と、上蓋１０とを含んでなる。
【００１４】
図１、図２に開示するように、上蓋１０には、補聴器５０を設けるために供する設置槽１１と、該設置槽１１の一側面に形成された乾電池設置空間１２と、該乾電池設置空間１２と設置槽１１との間に形成されたボタン電池充電挿入槽１３と、長手方向の一端縁部に形成された第一溝１４と、長手方向に垂直な一端縁部に形成された孔とを具えてなる。
【００１５】
下蓋２０は凹状に形成され、長手方向に垂直な一端縁部に設けられた電気的に接続する充電用の電気回路板２１と、該電気回路板上に設けられた複数の指示ランプ２１１と、ボタン型スイッチ２１２と、交流電流を直流に変換する変電用の機器のコネクタ２１３とを内部に設けてなる。また、指示ランプ２１１と、スイッチ２１２は、上蓋１０の対応する位置に形成された孔から上端縁部が外部に露出して設けられるため、作業状態を確認したり、スイッチ２１２の操作をするために便利である。
【００１６】
さらに、下蓋２０の内部には電気回路板２１と電気的に接続した充電挟持弾性片２２も設けられる。該充電挟持弾性片２２はボタン電池充電挿入槽１３に対応する位置に設けられるため、ボタン電池をボタン電池充電挿入槽１３に挿入した後、電池が充電挟持弾性片２２に挟持により接触される。
【００１７】
該着脱可能な蓋体３０は透明で、長手方向の一側面の上蓋１０に対応する位置に第二溝３１を具えてなる。図２、図３に開示するように、第一、第二溝１４、３１には蝶番４０を設ける。該蝶番４０は回動自在な第一、第二側面４１、４２を具えてなり、第一側面４１を第一溝１４に挿入し、第二側面４２を第二溝３１に挿入して蓋体３０が蝶番４０により蓋を合わせるか、或いは充電ベース１００から取り外すようにすることができる。
【００１８】
補聴器５０は、一側面に回転させて着脱可能な接続座５１を具えてなる。該接続座５１は、補聴器５０から取り外してボタン電池を設けた後、再度、補聴器５０に接続座５１を設けて使用するために供する。
【００１９】
図１、図２、図４に開示するように、補聴器５０のボタン電池９０の電力がなくなった場合には、接続座５１を移動させてボタン電池９０を取り出し、蓋体３０を開いてボタン電池９０をボタン電池充電挿入槽１３に挿入し、充電挟持弾性片２２で挟持して接触し、乾電池設置空間１２に乾電池を設けてスイッチ２１２を押すと、乾電池、電気回路板２１、充電挟持弾性片２２が充電用の電気回路となり、ボタン電池９０が充電されるため、非常に便利である。
【００２０】
乾電池がない場合には、コネクタ２１３を家庭用の電気コンセントに挿入して充電することもできる。充電時間中には、予備のボタン電池を接続座５１の内部に設ければ、補聴器５０を使用することができる。
【００２１】
図５から図８に別の実施例を開示する。この実施例の充電ベース１０１は、下蓋６０と、上蓋７０と、収納ベース７３とを含んでなる。
【００２２】
該下蓋６０は、長手方向に垂直な一端縁部に電気回路板６１など電子部材を具えてなる。また、図５、６に開示するように、充電挟持弾性片６２の形態が前述の実施例とは異なる。
【００２３】
下蓋６０は、底部の長手方向に垂直な端縁部に電気回路板６１に接続する開口６５を形成する。充電挟持弾性片６２は一端が電気回路板６１の底部側面に連結し、他端が開口６５に向って延伸するように設けられ、ボタン電池９０が平に置かれた状態で充電挟持弾性片６２と接触し、平らな状態を保つことができる。
【００２４】
開口６５には保護蓋６３が設けられる。該保護蓋６３は、内側にボタン電池９０を設けるために形成された設置空間６３１と、下蓋６０の一端縁部に対向するように形成された２つのフック６３２とを具えてなる。よって。保護蓋６３を開口６５に設ける場合には、下蓋６０に形成された孔６４にフック６３２を挿入して保護蓋６３を開口６５に位置決めし、ボタン電池９０が下蓋６０の内部で充電される。
【００２５】
上蓋７０は、フレーム状に形成され、中央部に形成された収納口７１と、該収納口７１の外周縁部に形成されたレール７２とを具えてなる。該収納口７１は内側が、下蓋６０の表面に設けた収納ベース７３の上方に対応して設けられるとともに、レール７２により収納口７１から抜け落ちることを防ぐ。
【００２６】
収納ベース７３は、表面に設置槽７３１を形成して、補聴器５０を設けるために供する。よって、収納ベース７３を下蓋６０の表面に設けて、上蓋７０を下蓋６０の上方に設けて螺接して組み合わせる。即ち、この実施例における補聴器５０の収納ベース７３は、下蓋６０と上蓋７０とは別の異なる部材である。
【００２７】
図５、図８に開示するように、着脱可能な蓋体８０と充電ベース１０１とは、スライドさせる方法を利用して連結される。即ち、蓋体８０は底面の長手方向側辺にそれぞれ、上蓋７０のレール７２に対応する位置に凸縁部８１を形成する。よって、蓋体８０は凸縁部８１をレール７２に沿ってスライドさせると上蓋７０を被覆することができる。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２９】
【図１】この考案の耳掛け形補聴器の充電器を示した斜視図である。
【図２】この考案の耳掛け形補聴器の充電器を示した分解図である。
【図３】この考案の耳掛け形補聴器の充電器の一部を示した断面図である。
【図４】この考案の耳掛け形補聴器の充電器の充電挟持弾性片がボタン電池に接触している状態を示した断面図である。
【図５】この考案の耳掛け形補聴器の充電器の別の実施例を示した分解図である。
【図６】図５に開示した耳掛け形補聴器の底面を示した説明図である。
【図７】図５に開示した耳掛け形補聴器の充電器の蓋板と上蓋の一部を示した断面図である。
【図８】図５に開示した耳掛け形補聴器の充電器の充電挟持弾性片とボタン電池の一部を示した断面図である。
【符号の説明】
【００３０】
１０、７０       上蓋
１１、７３１     設置槽
１２             乾電池設置空間
１３             ボタン電池充電挿入槽
１４             第一溝
２０、６０       下蓋
２１、６１       電気回路板
２１１           指示ランプ
２１２           スイッチ
２１３           コネクタ
２２、６２       充電挟持弾性片
３０、８０       蓋体
３１             第二溝
４０             蝶番
４１             第一側面
４２             第二側面
５０             補聴器
５１             接続座
６３             保護蓋
６３１           設置空間
６３２           フック
６４             孔
６５             開口
７１             収納口
７２             レール
７３             収納ベース
８１             凸縁部
９０             ボタン電池
１００           充電ベース
１０１           充電ベース
【図１】
0003133242.tif 000003
【図２】
0003133242.tif 000004
【図３】
0003133242.tif 000005
【図４】
0003133242.tif 000006
【図５】
0003133242.tif 000007
【図６】
0003133242.tif 000008
【図７】
0003133242.tif 000009
【図８】
0003133242.tif 000010